(57)【要約】      （修正有）【課題】サンバイザーやキャップとして使用したり、首筋の日焼けを防止するサンバイザーやキャップとして使用することができる帽子の提供。【解決手段】目庇２１にリング状帯状体２２を一体に設けてなるサンバイザー２と、クラウン部３と、日除け垂れ部４と、から構成される。そして、リング状帯状体２２に周方向に間隔をおいて複数個のボタンホール２２ａが形成され、また、クラウン３の外周面に、ボタンホール２２ａに対応するボタン５が設けられ、さらに、日除け垂れ部４の外周面に、ボタンホール２２ａに対応するボタン５が設けられるとともに、ボタンホール２２ａに対応するボタンホール４１ａが形成されている。【選択図】図１
0003116103.tif 000002
【実用新案登録請求の範囲】
【請求項１】
目庇にリング状帯状体を一体に設けてなるサンバイザーと、クラウン部と、日除け垂れ部と、から構成され、サンバイザー単独、または、サンバイザーのリング状帯状体に日除け垂れ部を留め具および被留め具を介して装着した状態、もしくは、サンバイザーのリング状帯状体にクラウン部を留め具および被留め具を介して装着した状態、さらにまた、サンバイザーのリング状帯状体にクラウン部および日除け垂れ部を留め具および被留め具を介して装着した状態を選択可能であることを特徴とする帽子。
【考案の詳細な説明】
【技術分野】
【０００１】
この考案は、種々の形態で使用することができる帽子に関するものである。
【背景技術】
【０００２】
一般に、屋外でのスポーツなどに際しては、頭部を覆って寒さや暑さから守るため、帽子を着用する。
【０００３】
このような帽子において、帽子本体、サンバイザーおよび環状つばを用意し、帽子本体とサンバイザーを連結してスポーツ帽子として使用したり、帽子本体と環状つばを連結してつば付き帽子として使用することができる考案が提案されている（例えば、特許文献１参照）。
【特許文献１】実用新案登録第３０９７１５５号公報
【考案の開示】
【考案が解決しようとする課題】
【０００４】
ところで、前述した帽子にあっては、頭部を覆うことはできるが、後頭部、特に、首筋を直射日光から保護することはできず、強い日差しを受けて首筋が日焼けする結果、日焼けしない部分との差が際立つという問題があった。また、帽子本体とサンバイザーまたは帽子本体と環状つばをそれぞれ連結する手段としてジッパーを使用しているため、ジッパーが頭髪と絡まるという欠点もあった。
【０００５】
本考案は、このような問題点に鑑みてなされたもので、サンバイザーとして単独で使用することができる他、首筋の日焼けを防止する種々の形態でも使用することができる帽子を提供するものである。
【課題を解決するための手段】
【０００６】
本考案は、目庇にリング状帯状体を一体に設けてなるサンバイザーと、クラウン部と、日除け垂れ部と、から構成され、サンバイザー単独、または、サンバイザーのリング状帯状体に日除け垂れ部を留め具および被留め具を介して装着した状態、もしくは、サンバイザーのリング状帯状体にクラウン部を留め具および被留め具を介して装着した状態、さらにまた、サンバイザーのリング状帯状体にクラウン部および日除け垂れ部を留め具および被留め具を介して装着した状態を選択可能であることを特徴とするものである。
【０００７】
本考案によれば、サンバイザー単独で使用することができる他、サンバイザーのリング状帯状体にクラウン部を装着することにより、キャップとして使用することができ、頭部を保護することができる。また、サンバイザーのリング状帯状体に日除け垂れ部を装着することにより、日除け垂れを有するサンバイザーとして使用することができ、首筋の日焼けを防止することができる。さらには、サンバイザーのリング状帯状体にクラウン部および日除け垂れ部を装着することにより、日除け垂れを有するキャップとして使用することができ、頭部を保護するとともに、首筋の日焼けを防止することができる。
【０００８】
本考案において、留め具および被留め具としては、ボタンとボタンホール、スタッドとソケットからなるスナップ、互いに付着可能な面ファスナー、あるいは、コードとアイレットなどを挙げることができる。
【考案の効果】
【０００９】
本考案によれば、サンバイザー単独で使用することができる他、首筋の日焼けを防止するサンバイザーとして使用することができる。また、頭部を保護するキャップとして使用することができる他、首筋の日焼けを防止するキャップとしても使用することができる。
【考案を実施するための最良の形態】
【００１０】
以下、本考案の実施の形態を図面に基づいて説明する。
【００１１】
図１には、本考案の帽子１の一実施形態が示されている。
【００１２】
この帽子１は、サンバイザー２と、クラウン部３と、日除け垂れ部４と、から構成されている。
【００１３】
サンバイザー２は、紫外線の透過を抑制するように、着色プラスチックによって成形された目庇２１と、該目庇２１と一体に縫製された布製のリング状帯状体２２とからなり、リング状帯状体２２の後端部は、ゴムなどの弾性部材２３を介して連結されて、頭の大きさに追従できるようになっている。そして、リング状帯状体２２は、詳細には図示しないが、帯状の芯材の内外面を布で覆って形成され、その下端縁部が目庇２１の内周縁部に一体に縫製されている。また、リング状帯状体２２には、被留め具としての複数個のボタンホール２２ａが周方向に設定間隔をおいて形成されている。
【００１４】
クラウン部３は、略半球状に形成され、その外周面下端縁部には、留め具としての複数個のボタン５が、サンバイザー２におけるリング状帯状体２２のボタンホール２２ａの形成位置およびその間隔に対応して取り付けられている。
【００１５】
日除け垂れ部４は、帯状部４１および該帯状部４１の下端縁に一体に縫製された垂れ本体４２からなり、垂れ本体４２は、後頭部下部から首筋を越える部位を覆う縦寸法と、ほぼ両耳を覆う横寸法からなる大きさに形成されている。そして、帯状部４１の外周面には、留め具としての複数個のボタン５’が、サンバイザー２におけるリング状帯状体２２のボタンホール２２ａの形成位置に対応して取り付けられているとともに、被留め具としての複数個のボタンホール４１ａがサンバイザー２におけるリング状帯状体２２のボタンホール２２ａの形成位置に対応して形成されている。
【００１６】
具体的には、サンバイザー２のリング状帯状体２２には、左右各半部にそれぞれ３個のボタンホール２２ａが周方向に設定間隔をおいて形成されている。また、クラウン部３には、サンバイザー２の各半部の前部および後部の２個のボタンホール２２ａに対応して、左右各半部にそれぞれ２個のボタン５が取り付けられている。さらに、日除け垂れ部４の帯状部４１には、サンバイザー２の各半部の中間のボタンホール２２ａに対応して、左右各半部に１個のボタン５’が取り付けられるとともに、サンバイザー２の各半部の後部のボタンホール２２ａに対応して、左右各半部に１個のボタンホール４１ａが形成されている。
【００１７】
次に、このように構成された帽子１の使用方法について説明する。
【００１８】
まず、日差しが強くないときには、サンバイザー２をそのまま使用する。すなわち、図２に示すように、リング状帯状体２２によって頭部の周囲を挟み込むように、サンバイザー２を被って装着すればよい。この場合、目に入る日差しを目庇２１によって抑えることができる。
【００１９】
一方、夏期などのように、日差しが強いときには、サンバイザー２のリング状帯状体２２の内周面側にクラウン部３の外周面側を対向して配置し、そのリング状帯状体２２に形成されたボタンホール２２ａに、クラウン部３に設けられたボタン５を順次装着することにより、図３に示すように、サンバイザー２にクラウン部３を取り付けてキャップに形成することができる。このようなキャップによれば、目に入る日差しを目庇２１によって抑えることができるとともに、クラウン部３によって頭部を保護することができる。しかも、サンバイザー２とクラウン部３を連結するボタン５は、クラウン部３の外周面に設けられているため、サンバイザー２にクラウン部３を取り付けてキャップとして被った場合でも、頭部とボタン５が干渉することはなく、頭髪が絡むなどの不快感を覚えることがない。
【００２０】
また、サンバイザー２単独での使用時において、日差しが強くなり、首筋の日焼けを防止する必要が生じたときには、サンバイザー２のリング状帯状体２２の内周面側に日除け垂れ部４の外周面側を対向して配置し、そのリング状帯状体２２に形成されたボタンホール２２ａに、その帯状部４１に設けられたボタン５’を順次装着することにより、図４に示すように、日除け垂れ部４を有するサンバイザー２として使用することができる。この場合には、後頭部への日差しを日除け垂れ部４によって遮ることができ、首筋の日焼けを防止することができる。しかも、サンバイザー２と日除け垂れ部４を連結するボタン５’は、日除け垂れ部４の帯状部４１の外周面に設けられているため、サンバイザー２に日除け垂れ部４を取り付けて被った場合でも、頭部とボタン５’が干渉することはなく、頭髪が絡むなどの不快感を覚えることがない。
【００２１】
さらに、図４に示した日除け垂れ部４を有するサンバイザー２の使用時において、頭部を保護する必要が生じたときには、サンバイザー２のリング状帯状体２２の内周面側および日除け垂れ部４の内周面側にクラウン部３の外周面側を対向して配置し、そのリング状帯状体２２に形成されたボタンホール２２ａに、クラウン部３に設けられたボタン５を装着する一方、日除け垂れ部４の帯状部４１に形成されたボタンホール４１ａおよびリング状帯状体２２に形成されたボタンホール２２ａに、クラウン部３に設けられたボタン５を装着することにより、図５に示すように、日除け垂れ部４を有するサンバイザー２にクラウン部３を取り付けてキャップに形成することができる。このようなキャップによれば、目に入る日差しを目庇２１によって抑えることができるとともに、クラウン部３によって頭部を保護することができる。また、後頭部への日差しを日除け垂れ部４によって遮ることができ、首筋の日焼けを防止することができる。しかも、サンバイザー２とクラウン部３を連結するボタン５およびサンバイザー２と日除け垂れ部４を連結するボタン５’は、クラウン部３の外周面および日除け垂れ部４の外周面に設けられているため、日除け垂れ部４を有するサンバイザー２にクラウン部３を取り付けてキャップとして被った場合でも、頭部とボタン５，５’が干渉することはなく、頭髪が絡むなどの不快感を覚えることがない。
【００２２】
ところで、前述した帽子１の実施形態においては、サンバイザー２のリング状帯状体２２にボタンホール２２ａを形成する一方、クラウン部３にボタン５を設け、また、日除け垂れ部４の帯状部４１にボタン５’を設けるとともに、ボタンホール４１ａを形成した場合を例示したが、サンバイザー２のリング状帯状体２２にボタンを設ける一方、クラウン部３および日除け垂れ部４の帯状部４１にそれぞれボタンホールを形成して、サンバイザー２にクラウン部３または日除け垂れ部４を選択的に取り付け、あるいは、サンバイザー２にクラウン部３および日除け垂れ部４を合わせて取り付けるようにしてもよい。
【００２３】
具体的には、本考案の帽子１の他の実施形態を示す図６から明らかなように、帽子１を構成するサンバイザー２のリング状帯状体２２の外周面には、ボタン５が取り付けられており、クラウン部３および日除け垂れ部４のリング状帯状部４３には、サンバイザー２のリング状帯状体２２に設けられたボタン５に対応してボタンホール３ａ，４３ａが形成されている。
【００２４】
この実施形態の帽子１においても、図７に示すように、サンバイザー２を単独で使用することができる。
【００２５】
また、図８に示すように、サンバイザー２のリング状帯状体２２の外周面側にクラウン部３の内周面側を対向して配置し、そのリング状帯状体２２に設けられたボタン５に、クラウン部３に形成されたボタンホール３ａを順次装着することにより、サンバイザー２にクラウン部３を取り付けてキャップに形成することができる。
【００２６】
さらに、図９に示すように、サンバイザー２のリング状帯状体２２の外周面側に日除け垂れ部４のリング状帯状部４３の内周面側を対向して配置し、そのリング状帯状体２２に設けられたボタン５に、そのリング状帯状部４３に形成されたボタンホール４３ａを順次装着することにより、日除け垂れ部４を有するサンバイザー２として使用することができる。
【００２７】
さらにまた、図１０に示すように、サンバイザー２にクラウン部３を取り付けてキャップを形成するとともに、そのクラウン部３の外周面側に日除け垂れ部４の内周面側を対向して配置し、そのリング状帯状体２２に取り付けられてクラウン部３のボタンホール３ａに装着されたボタン５に、そのリング状帯状部４３に形成されたボタンホール４３ａをさらに装着することにより、日除け垂れ部４を有するキャップに形成することができる。
【００２８】
このように構成された帽子１においても、先に説明した帽子１の各使用形態に対応する効果を奏することができる他、サンバイザー２とクラウン部３および／または日除け垂れ部４を連結するボタン５は、クラウン部３の外周面側および日除け垂れ部４の外周面側に配置されるため、頭部とボタン５が干渉することはなく、頭髪が絡むなどの不快感を覚えることがない。
【００２９】
なお、前述した実施形態においては、ボタンとボタンホールによってサンバイザー２、クラウン部３、日除け垂れ部４を装着する場合を例示したが、ボタンとボタンホールによる装着に限定するものではない。例えば、詳細には図示しないが、スタッドとソケットからなるスナップや互いに付着可能な面ファスナー、あるいは、コードとアイレットなどを利用して取り付けるようにしてもよく、また、ボタンとボタンホールを含めて、これらを併用して取り付けるようにしてもよい。
【図面の簡単な説明】
【００３０】
【図１】本考案の帽子の一実施形態を構成するサンバイザー、クラウン部および日除け垂れ部を分解して示す説明図である。
【図２】図１の帽子をサンバイザー単独で使用する場合の説明図である。
【図３】図１の帽子をサンバイザーおよびクラウン部からキャップとして使用する場合の説明図である。
【図４】図１の帽子をサンバイザーおよび日除け垂れ部から日除け垂れ部を有するサンバイザーとして使用する場合の説明図である。
【図５】図１の帽子をサンバイザー、クラウン部および日除け垂れ部から日除け垂れ部を有するキャップとして使用する場合の説明図である。
【図６】本考案の帽子の他の実施形態を構成するサンバイザー、クラウン部および日除け垂れ部を分解して示す説明図である。
【図７】図６の帽子をサンバイザー単独で使用する場合の説明図である。
【図８】図６の帽子をサンバイザーおよびクラウン部からキャップとして使用する場合の説明図である。
【図９】図６の帽子をサンバイザーおよび日除け垂れ部から日除け垂れ部を有するサンバイザーとして使用する場合の説明図である。
【図１０】図６の帽子をサンバイザー、クラウン部および日除け垂れ部から日除け垂れ部を有するキャップとして使用する場合の説明図である。
【符号の説明】
【００３１】
１  帽子
２  サンバイザー
２１  目庇
２２  リング状帯状体
２２ａ  ボタンホール
３  クラウン部
４  日除け垂れ部
４１  帯状部
４１ａ，４３ａ  ボタンホール
４２  垂れ本体
４３  リング状帯状部
５，５’  ボタン
【図１】
0003116103.tif 000003
【図２】
0003116103.tif 000004
【図３】
0003116103.tif 000005
【図４】
0003116103.tif 000006
【図５】
0003116103.tif 000007
【図６】
0003116103.tif 000008
【図７】
0003116103.tif 000009
【図８】
0003116103.tif 000010
【図９】
0003116103.tif 000011
【図１０】
0003116103.tif 000012